(57)【特許請求の範囲】
【請求項１】
操作面から端面にかけて空所を有するとともに、前記空所の周縁部に穴ないし凹部を有するフロントケースと、
前記フロントケースと嵌合するとともに、手元面から端面にかけて前記フロントケースの空所と対応する空所を有し、前記空所の周縁部に穴ないし凹部を有するリアケースと、
前記フロントケースと前記リアケースが組み合わさった状態における前記フロントケースと前記リアケースとのそれぞれの空所及び該空所の周縁部の全部又は一部を外側から覆うとともに、前記フロントケースと前記リアケースのそれぞれの穴ないし凹部に対応する内面に前記穴ないし凹部に掛止させる掛止爪を有し、組み合わさった前記フロントケース及び前記リアケースと嵌合する嵌合部材と、
を有し、
前記フロントケースは、その空所の縁端面に前記嵌合部材を摺動させて案内する摺動案内板部を有し、
前記嵌合部材は、前記摺動案内板部と対応する位置に摺動溝部を有することを特徴とする携帯情報通信機。
【請求項２】
前記嵌合部材は、弾性材料で形成されるとともに、その操作面及び手元面の先端部を内側に傾くようにして形成され、嵌合した状態において前記フロントケースと前記リアケースとを狭持することを特徴とする請求項１記載の携帯情報通信機。
【請求項３】
前記フロントケースの空所は、操作面から頂端面にかけて空けられた凹所であり、
前記リアケースの空所は、前記フロントケースの空所と対応する位置であって操作面から頂端面にかけて空けられた凹所であることを特徴とする請求項１又は２記載の携帯情報通信機。
【請求項４】
前記フロントケースは、その内面の端面の側縁部に掛合手段を有し、
前記リアケースは、前記フロントケースの掛合手段と対応する内面の端面の側縁部に前記フロントケースの掛合手段と掛合する掛合手段を有することを特徴とする請求項１乃至３のいずれか一に記載の携帯情報通信機。
【請求項５】
前記フロントケースは、内面にネジと螺合するネジボスを有し
前記リアケースは、前記フロントケースのネジボスと対応する位置にネジを貫通するネジ貫通孔を有し、
前記フロントケースと前記リアケースとはネジにより締着されることを特徴とする請求項１乃至４のいずれか一に記載の携帯情報通信機。
【請求項６】
前記嵌合部材は、ＬＥＤ用レンズであり、
前記フロントケースと前記リアケースとからなる筐体内に前記ＬＥＤ用レンズ側の端部近傍にＬＥＤを実装する基板を実装することを特徴とする請求項１乃至５のいずれか一に記載の携帯情報通信機。
【発明の詳細な説明】
【０００１】
【発明の属する技術分野】
操作面であるフロントケースと、前記フロントケースと嵌合する手元側のリアケースと、を有する携帯情報通信機に関し、特に、嵌合手段に特徴を有する携帯情報通信機に関する。
【０００２】
【従来の技術】
従来の携帯情報通信機は、そのフロントケースとリアケースの嵌合手段として、ネジによる螺合、爪による掛合、或いはそれら２つを組み合わせた嵌合方法等がとられている。
【０００３】
従来の携帯情報通信機の一例を図面を用いて説明する。図９は、従来の一例に係る携帯情報通信機の斜視図である。図１０は、従来の一例に係る携帯情報通信機の分解斜視図であり、（Ａ）は全体図、（Ｂ）は部分拡大図である。従来の携帯情報通信機１０１のフロントケース１０２には、その内側に嵌合のための爪凹部１０５とネジボス部１０７が設けられており、リアケース１０３には、前記爪凹部１０５とネジボス部１０７にそれぞれ対応する爪凸部１０６とネジ挿通穴１０８が設けられている。フロントケース１０２とリアケース１０３との嵌合は、爪凹部１０５に爪凸部１０６を嵌め込み、ネジ１０９を外側からネジ挿通穴１０８に挿通しネジボス部１０７の穴に螺合させることによって行われる。その他、ＬＥＤ用レンズ１０４はフロントケース１０２の内側から取り付けるようになっている。
【０００４】
このようなフロントケース１０２を金型成型する場合、フロントケース１０２の爪凹部１０５には、金型においてスライド機構が用いられる。
【０００５】
【発明が解決しようとする課題】
しかし、金型においてスライド機構を用いると、量産時のように成型を何回も繰り返すことによって、スライド機構に僅かな隙間ができてしまい、フロントケースの爪凹部１０５にバリが発生してしまう。特に、携帯情報通信機の筐体は、近年広まりつつあるマグネシウムダイカストによって成型される場合が多く、この場合スライド機構の寿命が短いために、バリが発生しやすく、生産性が低下するということが深刻な問題となっている。従って、フロントケース１０２とリアケース１０３の嵌合手段の一つである爪凹部、及び爪凸部を無くす、或いは減らすことによって、バリ発生の原因であるスライド機構を用いずに筐体を成型することが必要である。
【０００６】
また、携帯情報通信機の小型化が進むことによって、ＬＥＤ用レンズも小さくなってしまい、その設置場所が限られてくる。例えば、着信時には発光素子（ＬＥＤなど）の光をＬＥＤ用レンズから通して確認できるが、ＬＥＤ用レンズの小型化に伴い、ＬＥＤ用レンズの発光が見づらいこと、また、ＬＥＤ用レンズが小さくてつまみにくいため、組み立てにくいという問題が起こる。
【０００７】
本発明の目的は、金型の寿命を延ばすとともに、発光素子（ＬＥＤ）の視認性を向上させ、かつ、組立性を向上させることのできる携帯情報通信機を提供することである。
【０００８】
【課題を解決するための手段】
本発明の視点においては、携帯情報通信機において、操作面から端面にかけて空所を有するとともに、前記空所の周縁部に穴ないし凹部を有するフロントケースと、前記フロントケースと嵌合するとともに、手元面から端面にかけて前記フロントケースの空所と対応する空所を有し、前記空所の周縁部に穴ないし凹部を有するリアケースと、前記フロントケースと前記リアケースが組み合わさった状態における前記フロントケースと前記リアケースとのそれぞれの空所及び該空所の周縁部の全部又は一部を外側から覆うとともに、前記フロントケースと前記リアケースのそれぞれの穴ないし凹部に対応する内面に前記穴ないし凹部に掛止させる掛合爪を有し、組み合わさった前記フロントケース及び前記リアケースと嵌合する嵌合部材と、を有し、前記フロントケースは、その空所の縁端面に前記嵌合部材を摺動させて案内する摺動案内板部を有し、前記嵌合部材は、前記摺動案内板部と対応する位置に摺動溝部を有することを特徴とする。
【０００９】
また、前記携帯情報通信機において、前記嵌合部材は、弾性材料で形成されるとともに、その操作面及び手元面の先端部を内側に傾くようにして形成され、嵌合した状態において前記フロントケースと前記リアケースとを狭持することが好ましい。
【００１０】
また、前記携帯情報通信機において、前記フロントケースの空所は、操作面から頂端面にかけて空けられた凹所であり、前記リアケースの空所は、前記フロントケースの空所と対応する位置であって操作面から頂端面にかけて空けられた凹所であることが好ましい。
【００１２】
また、前記携帯情報通信機において、前記フロントケースは、その内面の端面の側縁部に掛合手段を有し、前記リアケースは、前記フロントケースの掛合手段と対応する内面の端面の側縁部に前記フロントケースの掛合手段と掛合する掛合手段を有することが好ましい。
【００１３】
また、前記携帯情報通信機において、前記フロントケースは、内面にネジと螺合するネジボスを有し前記リアケースは、前記フロントケースのネジボスと対応する位置にネジを貫通するネジ貫通孔を有し、前記フロントケースと前記リアケースとはネジにより締着されることが好ましい。
【００１４】
また、前記携帯情報通信機において、前記嵌合部材は、ＬＥＤ用レンズであり、前記フロントケースと前記リアケースとからなる筐体内に前記ＬＥＤ用レンズ側の端部近傍にＬＥＤを実装する基板を実装することが好ましい。
【００１５】
【発明の実施の形態】
フロントケースとリアケースとは、それらが組み合わさった状態において外側から覆うようにして嵌合する嵌合部材を用いることによって、嵌め合わせることができる。嵌合部材に覆われた部分は、ケースと嵌合部材によって二重になっているので、フロントケースとリアケースの覆われた部分のうち一部を空所とすることができる。また、嵌合部材によって組み合わさったフロントケースとリアケースとを手元面及び操作面のそれぞれの外面から狭持することにより、嵌合する強度を向上させることができる。
【００１６】
【実施例】
本発明の一実施例に係る携帯情報通信機について図面を用いて説明する。図１は、本発明の一実施例に係る携帯情報通信機であり、（Ａ）は斜視図、（Ｂ）はＸ−Ｘ’間の断面図である。この携帯情報通信機１は、フロントケース２と、リアケース３と、ＬＥＤ用レンズ４と、を有し、内部にはプリント基板１５が実装されている。
【００１７】
フロントケースについて説明する。図２は、本発明の一実施例に係る携帯情報通信機のフロントケースであり、（Ａ）は外面側の斜視図、（Ｂ）は内面側の斜視図である。このフロントケース２は、操作面から頂端面にかけて凹状の空所１８を有するとともに、操作面における前記空所の周縁部にＬＥＤ用レンズの掛止爪６Ａを掛止する穴部８を有し、空所１８の縁端面にＬＥＤ用レンズのスライド溝部５とスライドして嵌合するスライド板部７を有し、リアケースの掛合部１２と掛合する掛合爪９を有し、操作面の内壁の下側の方にネジで締着するためのネジボス部１０を有する。
【００１８】
リアケースについて説明する。図３は、本発明の一実施例に係る携帯情報通信機のリアケースの斜視図であり、（Ａ）は外面側の斜視図、（Ｂ）は内面側の斜視図である。このリアケース３は、フロントケース２と嵌合するとともに、手元面から頂端面にかけてフロントケースの空所１８と対応する凹状の空所１８を有し、手元面における前記空所の周縁部に凹部１１を有し、フロントケースの掛合爪９と掛合する掛合部１２を有し、フロントケースのネジボス部１０と対応する位置にネジを挿通するためのネジ挿通穴１３を有する。
【００１９】
ＬＥＤ用レンズについて説明する。図４は、本発明の一実施例に係る携帯情報通信機におけるＬＥＤ用レンズの斜視図である。このＬＥＤ用レンズ４は、フロントケース２とリアケース３が組み合わさった状態におけるフロントケースとリアケースとのそれぞれの空所１８、１９及び空所の周縁部の一部を外側から覆うとともに、フロントケース２とリアケース３のそれぞれの穴部８と凹部１１に対応する内面に穴部８及び凹部１１のそれぞれに掛止させる掛止爪６Ａ及び６Ｂを有し、組み合わさったフロントケース及びリアケースとを狭持して嵌合し、フロントケースのスライド板部と対応する位置にスライド溝部５を有し、透明材料であって弾性材料でできている。ＬＥＤ用レンズ４は、通常の嵌合に使用する爪部やネジ等の代わりとなったものである。
【００２０】
プリント基板について説明する。図５は、本発明の実施例に係る携帯情報通信機に実装するプリント基板の正面図であり、（Ａ）は第一のパターン、（Ｂ）は第二のパターンである。このプリント基板１５は、フロントケース２とリアケース３とからなる筐体内に実装され、ＬＥＤ用レンズ４側の端部近傍にＬＥＤ（発光素子）１７を搭載する。ＬＥＤ１７は、図５（Ａ）ではプリント基板１５の頂端面に設置され、また、図５（Ｂ）では切り欠いたプリント基板１６の凹部の底端面に設置されている。
【００２１】
発光の確認について説明する。図１（Ｂ）を参照すると、ＬＥＤ用レンズの掛止爪６Ａはフロントケースの穴部８に嵌っており、ＬＥＤ用レンズの掛止爪６Ｂはリアケースの凹部１１に嵌っている。プリント基板１５に搭載したＬＥＤ１７はＬＥＤ用レンズ４の全体を照らす位置に設置されるので、ＬＥＤ１７が発光すると携帯情報通信機１の操作面、頂端面、手元面から発光を確認できる。
【００２２】
次に本発明の携帯情報通信機の組立について図面を用いて説明する。図６は、本発明の一実施例に係る携帯情報通信機を組み立てる手順を示した斜視図であり、（Ａ）はフロントケースにＬＥＤ用レンズを取り付けた状態、（Ｂ）はフロントケースにリアケースを取り付ける状態である。図７は、本発明の一実施例に係る携帯情報通信機におけるフロントケースにＬＥＤ用レンズを取り付ける状態を示した拡大斜視図である。
【００２３】
先ず、フロントケース２のスライド板部７をＬＥＤ用レンズ４のスライド溝部５に合わせて、スライドさせ、フロントケース２の穴部８にＬＥＤ用レンズ４の掛止爪６Ａを嵌めることによって、フロントケース２にＬＥＤ用レンズ４を取り付ける。次に、ＬＥＤ用レンズ４を取り付けたフロントケース２にプリント基板１５を設置し、その次にリアケース３を取り付ける。リアケース３の取り付け方は、先ず、リアケースの空所１９をＬＥＤ用レンズにあわせるようにして斜め上方から差込み、リアケース３の凹部１１をＬＥＤ用レンズ４の掛止爪６Ｂに嵌め、リアケース３の下部をフロントケース２に合わせるようにしてリアケースの掛合部１２をフロントケース２の掛合爪９に嵌め込み、さらに、ネジ１４をリアケースのネジ挿通穴１３に挿通して、フロントケース２のボス部１０の穴に螺合して行う。
【００２４】
ここで、ＬＥＤ用レンズ４の弾性力を利用すれば、従来フロントケース内とリアケース内にぞれぞれ設けていたケース上部付近の爪による嵌合手段を使用せずに嵌合・狭持することができる。従って、成型時にバリなどの不具合を起こしやすい爪部を削減することができ、成型品のバリ発生を解消することができる。また爪部を削減できるので、金型においてスライド機構を用いない成型が可能となる。スライド機構は金型寿命に影響が大きいので、スライド機構を削減することは、金型の長寿命化につながり、金型コスト削減という効果を生むことができる。
【００２５】
ＬＥＤ用レンズの配置例について説明する。図８は、本発明の実施例に係る携帯情報通信機におけるＬＥＤ用レンズの配置例を示した正面図であり、（Ａ）は上方角部に配置したもの、（Ｂ）は下部に配置したものである。
【００２６】
図８（Ａ）を参照すると、ＬＥＤ用レンズ２１は、携帯情報通信機２０の角部に配置できるような形態をとることが可能であり、この場合、例えば操作面、頂端面、手元面、左側端面にわたった４面を発光させることができる。また、図８（Ｂ）を参照すると、ＬＥＤ用レンズ２３を本発明の携帯情報通信機２２の操作面、頂端面、手元面、両側端面にわたる５面を発光させることもできる。
【００２７】
また、ＬＥＤ用レンズは、携帯情報通信機の任意の面に取り付け可能であり、少なくとも１つ以上取り付けることができる。
【００２８】
その他、ＬＥＤ用レンズは、弾性力を利用すれば、図４に例示したようなＬＥＤ用レンズのスライド溝部５を取り除いてもフロントケースとリアケースを挟み込むことができ、筐体に取り付けることができる。このようにすれば、携帯情報通信機のフロントケースとリアケースのサイド部にそれぞれ設けた掛合爪９（図２参照）と掛合部１２（図３参照）を全て取り除くことが可能となる。この場合、フロントケースとリアケースをネジで螺合した後に、爪部の代用として、上記で言及したようなスライド溝部を取り除いたＬＥＤ用レンズをフロントケースとリアケースに挟み込むように取り付ければ良い。従って、フロントケースとリアケースは、爪による嵌合手段を全く使わずに、嵌合・狭持することが可能となる。
【００２９】
【発明の効果】
本発明の第一の効果は、フロントケース又はリアケース用の金型について長寿命化を期待することができ、これに伴い金型コストの削減を図れるということである。その理由は、筐体嵌合にＬＥＤ用レンズ等の嵌合ないし狭持部材を利用することによって、爪部を削減できるので、金型の寿命に影響の大きいスライド機構を使用せずに筐体を成型できるからである。
【００３０】
本発明の第二の効果は、成型品のバリ発生を解消することができるという点である。その理由は、ＬＥＤ用レンズ等の嵌合ないし狭持部材を利用してフロントケースとリアケースを嵌合・狭持することができるので、ＬＥＤ用レンズ等の嵌合ないし狭持部材が、筐体の嵌合ために必要な従来の爪による嵌合手段の代わりとなり、金型成形において爪の成形の成形を行うスライド機構を使用しなくてもよくなるので、成型時にバリ発生などの不具合を起こしやすい爪部を削減できるからである。
【００３１】
本発明の第三の効果は、ＬＥＤ（発光素子）が発光するときのＬＥＤ用レンズの視認性を向上させることができるということである。その理由は、筐体の爪部を削減する代わりに嵌合ないし狭持部材を用い、嵌合ないし狭持部材をＬＥＤ用レンズとすることによって、ＬＥＤ用レンズを大型にすることができ、発光可能な範囲を広げることができるからである。
【００３２】
本発明の第四の効果は、ＬＥＤ用レンズの組立性を向上できるということである。その理由は、筐体の爪部を削減することによって、ＬＥＤ用レンズを大型にすることができるので、指につまみやすくなるからである。
【図面の簡単な説明】
【図１】本発明の一実施例に係る携帯情報通信機であり、（Ａ）は斜視図、（Ｂ）はＸ−Ｘ’間の断面図である。
【図２】本発明の一実施例に係る携帯情報通信機のフロントケースであり、（Ａ）は外面側の斜視図、（Ｂ）は内面側の斜視図である。
【図３】本発明の一実施例に係る携帯情報通信機のリアケースの斜視図であり、（Ａ）は外面側の斜視図、（Ｂ）は内面側の斜視図である。
【図４】本発明の一実施例に係る携帯情報通信機におけるＬＥＤ用レンズの斜視図である。
【図５】本発明の実施例に係る携帯情報通信機に実装するプリント基板の正面図であり、（Ａ）は第一のパターン、（Ｂ）は第二のパターンである。
【図６】本発明の一実施例に係る携帯情報通信機を組み立てる手順を示した斜視図であり、（Ａ）はフロントケースにＬＥＤ用レンズを取り付けた状態、（Ｂ）はフロントケースにリアケースを取り付ける状態である。
【図７】本発明の一実施例に係る携帯情報通信機におけるフロントケースにＬＥＤ用レンズを取り付ける状態を示した拡大斜視図である。
【図８】本発明の実施例に係る携帯情報通信機におけるＬＥＤ用レンズの配置例を示した正面図であり、（Ａ）は上方角部に配置したもの、（Ｂ）は下部に配置したものである。
【図９】従来の一例に係る携帯情報通信機の斜視図である。
【図１０】従来の一例に係る携帯情報通信機の分解斜視図であり、（Ａ）は全体図、（Ｂ）は部分拡大図である。
【符号の説明】
１、２０、２２  携帯情報通信機
２  フロントケース
３  リアケース
４、２１、２３  ＬＥＤ用レンズ
５  スライド溝部
６Ａ、６Ｂ  掛止爪
７  スライド板部
８  穴部
９  掛合爪
１０  ネジボス部
１１  凹部
１２  掛合部
１３  ネジ挿通穴
１４  ネジ
１５、１６  プリント基板
１７  ＬＥＤ
１８、１９  空所
１０１  携帯情報通信機
１０２  フロントケース
１０３  リアケース
１０４  ＬＥＤ用レンズ
１０５  爪凹部
１０６  爪凸部
１０７  ネジボス部
１０８  ネジ挿通穴
１０９  ネジ
【図１】
0003678087.tif 000002
【図２】
0003678087.tif 000003
【図３】
0003678087.tif 000004
【図４】
0003678087.tif 000005
【図５】
0003678087.tif 000006
【図６】
0003678087.tif 000007
【図７】
0003678087.tif 000008
【図８】
0003678087.tif 000009
【図９】
0003678087.tif 000010
【図１０】
0003678087.tif 000011